(57)【要約】  人を監視するための装置が提供される。該装置は、ベッドに取り付けられたセンサーユニットからデータを分析することにより、１以上の望ましくない状態を識別するように構成され、前記データは、人がベッドにいる又はベッドにいないことを示すものである。少なくとも１つの望ましくない状態の識別後、装置は、ローカルアラームを発し、警戒信号をリモート装置に送信し、該リモート装置は、望ましくない状態を１人以上の応答者に通知するように構成される。１人以上の応答者がこの通知に応答する場合、又は装置がローカルにリセットされる場合、ローカルアラームは停止される。【選択図】図１
2018501594.tif 000002
【特許請求の範囲】
【請求項１】
人を監視するための装置であって：
人のベッドに取り付けられたセンサーから第１の信号を受信するように構成されるセンサーポート；
機械可読命令、及び、人によるベッドの使用に関連する１以上の警戒状態を判定するために使用されるパラメータのセットを保存するための記憶装置；
時間を測定するように構成されるタイマー；
センサーポート、タイマー、及び記憶装置に結合されるとともに、機械可読命令を実行するためのプロセッサ
を含み、
前記機械可読命令は、前記装置に
センサーポートを介してセンサーから第１の信号を受信させ、且つそこから人がベッドにいるかどうかを判定させ；
第１の信号及びタイマーによる時間測定に基づき、ベッドにいる及びベッドから出ている人に関連付けられる時間例と持続時間を判定させ；
１以上の警戒状態の１つの警戒状態が生じたかどうかを判定するために、時間例と持続時間を、パラメータのセットにおけるパラメータの少なくとも幾つかと比較させ；
警戒状態が生じている場合に警戒アラーム信号を生成させ；及び
取り消し命令に応じて、警戒アラーム信号を取り消させるものであり、
前記装置は更に、
ローカルユーザーインターフェースに接続し且つそれと通信するように構成されるローカルリンクユニットであって、それによりローカルユーザーインターフェースは、警戒アラーム信号を受信するように、ローカルユーザーインターフェースに近接してローカルアラーム警告を伝えるように、及び、警戒アラーム信号を取り消すために装置の近くにいる人の１人以上から取り消し命令を受信するように、構成される、ローカルリンクユニット；及び
リモートリンクユニットであって、警戒アラーム信号を受信し、且つ装置から遠隔に位置する各応答者に関連付けられる１以上のリモート通信デバイスにリモートアラーム警戒を伝えるように構成されたリモートシステムに接続するように、及び、警戒アラーム信号を取り消すために１以上の応答者から伝えられる第１の取り消し命令を受信するように構成される、リモートリンクユニット
を含む、装置。
【請求項２】
警戒アラーム信号を生成する前に、プロセッサは、警戒状態が生じている場合に、装置に事前の警戒アラーム信号を生成させるように構成され、事前の警戒アラーム信号は、警戒状態が生じていることを装置の近くの人に通知するためのものであり；
ローカルリンクユニットは更に、事前の警戒アラームを受信するように、ローカルユーザーインターフェースに近接して事前の警戒アラームを伝えるように、及び、事前の警戒アラーム信号を取り消すために装置の近くにいる人の１人から伝えられる第２の取り消し命令を受信するように、構成され；
プロセッサは、第２の取り消し命令の受信に応じて、事前の警戒アラームを取り消すように構成され；及び
プロセッサは、警戒状態が取り消されることなく予め定められた期間にわたり持続する場合にのみ、装置に警戒信号を生成させるように構成される
ことを特徴とする請求項１に記載の装置。
【請求項３】
プロセッサに結合される送信器を更に含み、該送信器は、装置から物理的に分離され且つ監視対象の人に関連付けられた空間内に位置するローカル通信デバイスに、警戒アラーム信号を送信して、警戒状態の１つが生じたことを通知するためにローカル通信デバイスに、ローカル通信デバイスの近くにいる人へとローカルアラーム警告を伝えさせるように構成される、ことを特徴とする請求項１に記載の装置。
【請求項４】
送信器を更に含み、該送信器は、事前の警戒アラーム信号をローカル通信デバイスに送信して、警戒状態の１つが生じたことを通知するためにローカル通信デバイスに、ローカル通信デバイスの近くにいる人へと事前の警戒アラームを伝えさせるように構成され；
ここで、前記送信器は、事前の警戒アラーム信号が予め定められた期間内に取り消されない場合にのみ、ローカル通信デバイスに警戒アラーム信号を伝えるように構成される、ことを特徴とする請求項２に記載の装置。
【請求項５】
受信器を更に含み、該受信器は、警戒アラーム信号を取り消すために、装置のためのローカル通信デバイスから取り消し信号を受信するように構成され；
ここで、プロセッサは、取り消し信号の受信後に事前の警戒アラームを取り消すように構成される、ことを特徴とする請求項３に記載の装置。
【請求項６】
受信器を更に含み、該受信器は、警戒アラーム信号及び／又は事前の警戒アラーム信号を取り消すために、装置のためのローカル通信デバイスから取り消し信号を受信するように構成され；
ここで、プロセッサは、取り消し信号の受信後に警戒アラーム信号及び／又は事前の警戒信号を取り消すように構成される、ことを特徴とする請求項４に記載の装置。
【請求項７】
１以上の警戒状態は、以下の
パラメータのセットにおいて指定された就寝時間の間に、人がベッドから出ている；
パラメータのセットにおいて指定された起床時間後に、人がベッドにいる；及び
パラメータのセットにおいて指定された、予め定められた時間間隔よりも長い時間間隔にわたる就寝時間の間に、人がベッドから出ていた
の少なくとも１つを含む、ことを特徴とする請求項１に記載の装置。
【請求項８】
機械可読命令は更に、装置にリモートシステムへの送信のための通知を生成させる命令を含み、該通知は、取り消し命令の受信に応じて、事前の警戒アラームが生成された後に取り消されることをリモートシステムに知らせるためのものであり；及び
リモートリンクユニットは更に、通知を送信するように構成される
ことを特徴とする請求項４に記載の装置。
【請求項９】
リモートシステムは、監視対象のコールセンター及びサーバーの少なくとも１つを含む、ことを特徴とする請求項１に記載の装置。
【請求項１０】
装置に統合されるようにローカルユーザーインターフェースを含む、請求項１に記載の装置。
【請求項１１】
請求項１０に記載の装置及びセンサーを含む、人を監視するためのキット。
【請求項１２】
請求項１に記載の装置及びセンサーを含む、人を監視するためのキット。
【請求項１３】
人を監視するためのシステムであって、該システムは、タイマー、及び、システムの動作のためのコマンドを示す第１のデータを保存するように構成されたメモリモジュールと協働して作動するように構成され、前記システムは：
ｉ．分析モジュール
を含み、該分析モジュールは、
ｉ（ａ）．人のベッドに取り付けられる少なくとも１つのセンサーから第２のデータを受信するように；
ｉ（ｂ）．ベッドに人がいる及び／又はベッドに人がいないこと、及びベッドに人がいる及び／又はベッドに人がいない時間の長さに関する状況を判定するために、第２のデータを処理するように；
ｉ（ｃ）．状況に関する少なくとも１つの望ましくない状態を識別するために、タイマーから第１のデータ及び時間を使用するように；
ｉ（ｄ）．少なくとも１つの状態が本当の場合に、第１の制御信号を生成するように
構成されており、
前記システムはまた、
ｉｉ．警戒モジュール
を含み、該警戒モジュールは：
ｉｉ（ａ）．第１の制御信号を受信するように；
ｉｉ（ｂ）．第１の制御信号に応じて警戒信号を生成するように；
ｉｉ（ｃ）．ローカルデバイスに人へ警戒警告を伝えさせるために、人に取り付けられるローカルデバイスに警戒信号を送信するように；
ｉｉ（ｄ）．人の少なくとも１人の世話人に連絡を取り、少なくとも１人の世話人へ警戒警告を伝えるように構成されたリモートシステムに警戒信号を送信するように
構成されており、
前記システムは更に、
ｉｉｉ．ローカルデバイス及びリモートシステムと通信状態にあるリセットモジュール
を含み、該リセットモジュールは、
ｉｉｉ（ａ）．ローカルデバイスから及び／又はリモートシステムからリセット信号を受信するように；
ｉｉｉ（ｂ）．リセット信号に応じて、警戒モジュールに第３の制御信号を送信するように、構成されており、
ここで、警戒モジュールは、リセット信号を受信するように、及び、警戒信号に応じて、ローカルデバイスに警戒警告を伝えるのを止めるよう命令し且つシステムデバイスに少なくとも１人の世話人に連絡を取るのを止めるように命令するように
構成される、ことを特徴とするシステム。
【請求項１４】
事前の警戒モジュールを更に含み、事前の警戒モジュールは：
第１の制御信号が警戒モジュールに到達するのを防ぐように；
第１の制御信号を受信するように；
第１の制御信号の受信後、人に関連付けられたローカルデバイスに、人へ事前の警戒警告を伝えさせるために、事前の警戒信号を生成するように；
第１のデータにおいて指定された猶予期間よりも長い時間長さにわたり事前の警戒警告が有効であったかどうかを判定するために、タイマーから第１のデータ及び時間を使用するように；及び
猶予期間よりも長い時間長さにわたり事前の警戒警告が有効であった場合に、第２の制御信号を生成するように
構成され、
ここで、警戒モジュールは更に、第２の制御信号を受信するように、及び第２の制御信号に応じて警戒信号を生成するように構成される、ことを特徴とする請求項１３に記載のシステム。
【請求項１５】
事前の警戒モジュールは、リセットモジュールからリセット信号を受信するように、及び、リセット信号に応じて、ローカルデバイスに事前の警戒警告又は警戒警告を伝えることを止めるよう命令するように、構成される、ことを特徴とする請求項１４に記載のシステム。
【請求項１６】
スイッチモジュールを更に含み、該スイッチモジュールは、第１の制御信号が事前の警戒モジュール又は警戒モジュールに送信されるべきかを選択するために、ローカルデバイスを介してユーザーによりプログラムされるように構成される、ことを特徴とする請求項１３に記載のシステム。
【請求項１７】
少なくとも１つの望ましくない状態は、以下の
第１のデータにおいて指定された就寝時間の間に、人がベッドから出ている；
第１のデータにおいて指定された起床時間後に、人がベッドにいる；及び
第１データにおいて指定された、予め定められた時間間隔よりも長い時間間隔にわたる就寝時間の間に、人がベッドから出ていた
の少なくとも１つを含む、ことを特徴とする請求項１３に記載のシステム。
【請求項１８】
リセット信号に応じて、警戒モジュールは、リモートシステムに、少なくとも１人の世話人に連絡を取り、且つ警戒信号が停止したことを世話人に知らせるよう命令するように構成される、ことを特徴とする請求項１３に記載のシステム。
【請求項１９】
警戒信号の受信後、警戒モジュールは更に、警戒モジュールとリモートシステムとの接続を確認するように構成され；
接続が成功している場合、警戒信号を生成し、リモートシステムに送信し；
接続が成功していない場合、ローカルデバイスに、少なくとも１人の世話人と連絡を取らせるための命令をローカルデバイスに送信し、少なくとも１人の世話人に警戒警告を伝える、ことを特徴とする請求項１３に記載のシステム。
【請求項２０】
接続が成功していない場合、リセット信号の受信後、警戒モジュールは、警戒警告を伝えることを止め、且つ少なくとも１人の世話人に連絡を取ることを止めるようローカルデバイスに命令するように構成される、ことを特徴とする請求項１９に記載のシステム。
【請求項２１】
リセット信号に応じて、警戒モジュールは、ローカルデバイスに、少なくとも１人の世話人に連絡を取り、且つ警戒信号が停止したことを世話人に知らせるよう命令するように構成される、ことを特徴とする請求項１９に記載のシステム。
【請求項２２】
人を監視するためのシステムであって、該システムはローカル装置及びリモート装置を含み、ここで：
ｉ．ローカル装置は、
ｉ（ａ）．人のベッドに取り付けられた少なくとも１つのセンサーからデータを受信し、そのデータを用いて、人がベッドにいる及び／又は人がベッドにいないことに関する少なくとも１つの望ましくない状態を識別するように；
ｉ（ｂ）．少なくとも１つの望ましくない状態の識別後、警戒警告を出力し、入力をローカルに促し、及び警戒信号を生成するように；
ｉ（ｃ）．リモート装置との接続を確認するように；
ｉ（ｄ）．リモート装置との接続が成功している場合、リモート装置に警戒信号を送信するように；
ｉ（ｅ）．リモート装置との接続が成功していない場合、予め定めた応答者それぞれに関連付けられた少なくとも１つのリモート通信デバイスに警戒信号を送信するように
構成されており、
ｉｉ．リモート装置は、
ｉｉ（ａ）．警戒信号を受信するように；
ｉｉ（ｂ）．警戒信号の受信後、予め定めた応答者それぞれに関連付けられた少なくとも１つのリモート通信デバイスに警戒信号を送信するように
構成される、ことを特徴とするシステム。
【請求項２３】
少なくとも１つの望ましくない状態の識別後、及び警戒警告の生成前に、ローカル装置は、
事前の警戒警告を出力し且つ入力をローカルに促すように；及び
入力が予め定めた長さの時間内に受信されない場合、警戒警告を出力して警戒信号を生成するように
構成される、ことを特徴とする請求項２２に記載のシステム。
【請求項２４】
ローカル装置は、インターネットを介してリモート装置に接続される、ことを特徴とする請求項２２に記載のシステム。
【請求項２５】
ローカル装置及びリモート装置は、セルラーネットワークを介して少なくとも１つのリモート通信デバイスと通信するように構成される、ことを特徴とする請求項２２に記載のシステム。
【請求項２６】
ローカル装置及びリモート装置は、少なくとも１つのリモート通信デバイスにより受信可能なＳＭＳ又は音声メッセージの形態で警戒信号を生成するように構成される、ことを特徴とする請求項２２に記載のシステム。
【請求項２７】
ローカル装置が事前の警戒警告後にローカル入力を受信する場合、ローカル装置は事前の警戒警告の出力を止めるように構成される、ことを特徴とする請求項２３に記載のシステム。
【請求項２８】
ローカル装置が警戒警告後にローカル入力を受信する場合、ローカル装置は、警戒警告の出力を止めるように、及びリモート装置にリセット信号を送るように構成され；及び
リセット信号の受信後、リモート装置は、少なくとも１つのリモート通信デバイスへ警戒信号を送信するのを止めるように構成される、ことを特徴とする請求項２２に記載のシステム。
【請求項２９】
ローカル装置が警戒警告後にローカル入力を受信する場合、ローカル装置は、警戒警告の出力を止めるように、及びリモート装置にリセット信号を送るように構成され；及び
リセット信号の受信に応じて、リモート装置は更に、少なくとも１つのリモート通信デバイスに、警戒が止まったことを示すメッセージをそれぞれの応答者へと伝えさせるために、取り消し信号を生成して少なくとも１つのリモート通信デバイスに送信するように構成される、ことを特徴とする請求項２２に記載のシステム。
【請求項３０】
警戒信号の送信後、リモート装置は、少なくとも１つのリモート通信デバイスから認識を受信するように構成され、及び認識に応じて、リモート装置は、警戒信号の生成と送信を止めるように、及びローカル装置にリセット信号を送るように構成され；及び
リセット信号の受信後、ローカル装置は、警戒警告の出力を止めるように構成される、ことを特徴とする請求項２２に記載のシステム。
【請求項３１】
ローカル装置による警戒信号の送信後、ローカル装置は、少なくとも１つのリモート通信デバイスから認識を受信するように構成され、及び認識に応じて、ローカル装置は、警戒信号の生成、及びそれを少なくとも１つのリモート通信デバイスへ送信することを止めるように構成される、ことを特徴とする請求項２２に記載のシステム。
【請求項３２】
リモート装置はサーバー又はコールセンターである、ことを特徴とする請求項２２に記載のシステム。
【発明の詳細な説明】
【技術分野】
【０００１】
＜関連出願への相互参照＞
本出願は、２０１４年１２月１８日出願の米国特許出願第１４／５７４，６７０号の優先権を主張するものであり、これは、その全体において参照により本明細書に組み込まれる。
【背景技術】
【０００２】
高齢者の世話は困難な仕事である。短時間でさえも高齢者を一人にすることは、介護者にとっての悩みとなり得る。高齢者を監視するとともに、応答者（家族の一員、医療関係者、又は雇われた世話人など）に監視対象の高齢者の状況について知らせ続けるための異なるシステムが、当該技術分野で利用可能である。
【０００３】
例えば、ＢｅＣｌｏｓｅ（ｂｅｃｌｏｓｅ．ｃｏｍ）は、複数のワイヤレスセンサー、ハブ、及びサーバーを含む監視システムを製造している。ワイヤレスセンサーは監視対象の人の家の周囲に置かれ、監視対象の人の異なる活動を記録する。ハブは、センサーからデータを受信し、且つサーバーにデータを送信し、該サーバーは、監視対象の人の活動を監視するために応答者がアクセス可能なものである。サーバーはまた、緊急事態を示し得る、１以上の望ましくない状態を識別するためにデータを処理するように構成される。この状態の少なくとも１つが識別される場合、サーバーは電子メール、ＳＭＳ、又は電話を介して応答者に通知する。
【発明の概要】
【０００４】
＜発明の実施形態の簡潔な概要＞
本発明者は、先行技術が遠隔で人を監視する性能を提供する一方で、応答者に通知されつつあることを監視対象の人に通知するとともに、緊急事態がない場合に通知の送信を止める性能を欠いていることを見出した。更に、先行技術において、緊急事態が生じた場合に、サーバーと応答者との通信は一方向的なものであり、応答者が通知に応答して、応答者が問題に対処していることをサーバー（可能であれば、通知された他の応答者）に知らせることを可能にするものではない。
【０００５】
本発明は、そのような不備を修正するとともに、より完全な監視システムを提供することを目的とする。本発明の幾つかの実施形態において、とりわけ、緊急事態が発生しない場合に監視対象の人が通知（アラーム）の送信を止めることを可能にするように、且つ、応答者が通知に応答して、緊急事態が対処されていることをサーバー及び随意に他の応答者に通知することを可能にするように構成される、監視装置／システムが提供される。
【０００６】
それ故、本発明の幾つかの実施形態の態様は、人を監視するための装置に関する。１つの実施形態において、前記装置は、センサーポート、記憶装置、タイマー、プロセッサ、ローカルリンクユニット（ｌｏｃａｌ ｌｉｎｋｉｎｇ ｕｎｉｔ）、及びリモートリンクユニット（ｒｅｍｏｔｅ ｌｉｎｋｉｎｇ ｕｎｉｔ）を含んでいる。センサーポートは、人のベッドに取り付けられたセンサーから第１の信号を受信するように構成される。記憶装置は、機械可読命令、及び、人によるベッドの使用に関連する１以上の警戒状態を判定するために使用されるパラメータのセットを保存するように構成される。タイマーは時間を測定するように構成される。プロセッサは、センサーポート、タイマー、及び記憶装置に結合されるとともに、前記装置に以下を行わせる機械可読命令を実行するように構成される：（ａ）センサーポートを介してセンサーから第１の信号を受信させ、且つそこから人がベッドにいるかどうかを判定させ；（ｂ）第１の信号及びタイマーによる時間測定に基づき、ベッドにいる及びベッドから出ている人に関連付けられる時間例（ｔｉｍｅ ｉｎｓｔａｎｃｅｓ）と持続時間を判定させ；（ｃ）１以上の警戒状態の１つの警戒状態が生じたかどうかを判定するために、時間例と持続時間を、パラメータのセットにおけるパラメータの少なくとも幾つかと比較させ；（ｄ）警戒状態が生じている場合に警戒アラーム信号を生成させ；及び（ｅ）取り消し命令に応じて、警戒アラーム信号を取り消させる。ローカルリンクユニットは、ローカルユーザーインターフェースに接続するように、且つ警戒アラーム信号をローカルユーザーインターフェースに伝達するように構成される。ローカルユーザーインターフェースは、警戒アラーム信号を受信するように、ローカルユーザーインターフェースに近接してローカルアラーム警告を伝えるように、及び、警戒アラーム信号を取り消すために装置の近くにいる人の１人以上から取り消し命令を受信するように、構成される。リモートリンクユニットは、警戒アラーム信号を受信し、且つ装置から遠隔に位置する各応答者に関連付けられる１以上のリモート通信デバイスにリモートアラーム警戒を伝えるように構成されたリモートシステムに接続するように、及び、警戒アラーム信号を取り消すために１以上の応答者から伝えられる第１の取り消し命令を受信するように、構成される。
【０００７】
変形において、警戒アラーム信号を生成する前に、プロセッサは、警戒状態が生じている場合に、装置に事前の警戒アラーム信号を生成させるように構成され、事前の警戒信号は、警戒状態が生じていることを装置の近くの人に通知するためのものである。ローカルリンクユニットは、事前の警戒アラーム信号を受信するように、ローカルユーザーインターフェースに近接して事前の警戒アラーム警告を伝えるように、及び、事前の警戒アラーム信号を取り消すために装置の近くにいる人の１人から伝えられる第２の取り消し命令を受信するように、構成される。プロセッサは、第２の取り消し命令の受信に応じて、事前の警戒アラームを取り消すように構成される。プロセッサは、警戒状態が取り消されることなく予め定められた期間にわたり持続する場合にのみ、装置に警戒信号を生成させるように構成される。
【０００８】
別の変形において、装置は、プロセッサに結合される送信器を更に含む。送信器は、装置から物理的に分離され且つ監視対象の人に関連付けられた空間内に位置するローカル通信デバイスに、警戒アラーム信号を送信して、警戒状態の１つが生じたことを通知するためにローカル通信デバイスに、ローカル通信デバイスの近くにいる人へと警戒警告信号を伝えさせるように、構成される。
【０００９】
また別の変形において、装置は更に送信器を含み、該送信器は、事前の警戒アラーム信号をローカル通信デバイスに送信して、警戒状態の１つが生じたことを通知するためにローカル通信デバイスに、ローカル通信デバイスの近くにいる人へと事前の警戒警告を伝えさせるように構成される。送信器は、事前の警戒アラーム信号が予め定められた期間内に取り消されない場合にのみ、ローカル通信デバイスに警戒アラーム信号を伝えるように構成される。
【００１０】
更なる変形において、装置は更に受信器を含み、該受信器は、警戒アラーム信号を取り消すために、装置のためのローカル通信デバイスから取り消し信号を受信するように構成される。プロセッサは、取り消し信号の受信後に事前の警戒アラームを取り消すように構成される。
【００１１】
また更なる変形において、装置は更に受信器を含み、該受信器は、警戒アラーム信号及び／又は事前の警戒アラーム信号を取り消すために、装置のためのローカル通信デバイスから取り消し信号を受信するように構成される。プロセッサは、取り消し信号の受信後に警戒アラーム信号及び／又は事前の警戒信号を取り消すように構成される。
【００１２】
本発明の幾つかの実施形態において、１以上の警戒状態は、次の少なくとも１つを含む：パラメータのセットにおいて指定された就寝時間の間に、人がベッドから出ている；パラメータのセットにおいて指定された起床時間後に、人がベッドにいる；及び、パラメータのセットにおいて指定された、予め定められた時間間隔よりも長い時間間隔にわたる就寝時間の間に、人がベッドから出ていた。
【００１３】
変形において、機械可読命令は更に、取り消し命令の受信に応じて、装置にリモートシステムへの送信のための通知を生成させる命令を含み、前記通知は、事前の警戒アラームが生成されて、その後で取り消されたことをリモートシステムに知らせるためのものである。リモートリンクユニットは更に、通知を送信するように構成され得る。
【００１４】
別の変形において、リモートシステムは、監視対象のコールセンター及びサーバーの少なくとも１つを含む。
【００１５】
また別の変形において、装置は、装置に統合されるようにローカルユーザーインターフェースを含む。
【００１６】
本発明の幾つかの実施形態の別の態様は、上記の監視装置及びセンサーを含む、人を監視するためのキットに関する。
【００１７】
本発明の幾つかの実施形態のまた別の態様は、人を監視するためのシステムに関するものであり、システムの動作のためのコマンドを示す第１のデータを保存するように構成されたタイマー及びメモリモジュールと協働して作動するように、構成される。システムは、分析モジュール、警戒モジュール、及びリセットモジュールを含む。分析モジュールは、（ｉ）人のベッドに取り付けられる少なくとも１つのセンサーから第２のデータを受信するように；（ｉｉ）ベッドに人がいる及び／又はベッドに人がいないこと、及びベッドに人がいる及び／又はベッドに人がいない時間の長さに関する状況を判定するために、第２のデータを処理するように；（ｉｉｉ）状況に関する少なくとも１つの望ましくない状態を識別するために、タイマーから第１のデータ及び時間を使用するように；（ｉｖ）少なくとも１つの状態が本当の場合に、第１の制御信号を生成するように、構成される。警戒モジュールは、（ａ）第１の制御信号を受信するように；（ｂ）第１の制御信号に応じて警戒信号を生成するように；（ｃ）ローカルデバイスに、人へ警戒警告を伝えさせるために、人に取り付けられるローカルデバイスに警戒信号を送信するように；（ｄ）人の少なくとも１人の世話人に連絡を取り、少なくとも１人の世話人へ警戒警告を伝えるように構成されたリモートシステムに警戒信号を送信するように、構成される。リセットモジュールは、ローカルデバイス及びリモートシステムと通信状態にあり、（１）ローカルデバイスから及び／又はリモートシステムからリセット信号を受信するように；（２）リセット信号に応じて、警戒モジュールに第３の制御信号を送信するように、構成される。警戒モジュールは、リセット信号を受信するように、及び、警戒信号に応じて、ローカルデバイスに警戒警告を伝えるのを止めるよう命令し且つシステムデバイスに少なくとも１人の世話人に連絡を取るのを止めるように命令するように、構成される。
【００１８】
変形において、システムは事前の警戒モジュールを含み、該事前の警戒モジュールは、（ａ）第１の制御信号が警戒モジュールに到達するのを防ぐように；（ｂ）第１の制御信号を受信するように；（ｃ）第１の制御信号の受信後、人に関連付けられたローカルデバイスに、人へ事前の警戒警告を伝えさせるために、事前の警戒信号を生成するように；（ｄ）第１のデータにおいて指定された猶予期間よりも長い時間長さにわたり事前の警戒警告が有効であったかどうかを判定するために、タイマーから第１のデータ及び時間を使用するように；及び（ｅ）猶予期間よりも長い時間長さにわたり事前の警戒警告が有効であった場合に、第２の制御信号を生成するように、構成される。警戒モジュールは更に、第２の制御信号を受信するように、及び第２の制御信号に応じて警戒信号を生成するように構成される。
【００１９】
随意に、事前の警戒モジュールは、リセットモジュールからリセット信号を受信するように、及び、リセット信号に応じて、ローカルデバイスに事前の警戒警告又は警戒警告を伝えることを止めるよう命令するように、構成される。
【００２０】
別の変形において、システムは更にスイッチモジュールを含み、該スイッチモジュールは、第１の制御信号が事前の警戒モジュール又は警戒モジュールに送信されるべきかを選択するために、ローカルデバイスを介してユーザーによりプログラムされるように構成される。
【００２１】
また別の変形において、少なくとも１つの望ましくない状態は、下記の少なくとも１つを含む：第１のデータにおいて指定された就寝時間の間に、人がベッドから出ている；第１のデータにおいて指定された起床時間後に、人がベッドにいる；及び、第１データにおいて指定された、予め定められた時間間隔よりも長い時間間隔にわたる就寝時間の間に、人がベッドから出ていた。
【００２２】
更なる変形において、リセット信号に応じて、警戒モジュールは、リモートシステムに、少なくとも１人の世話人に連絡を取り、且つ警戒信号が停止したことを世話人に知らせるよう命令するように構成される。
【００２３】
また更なる変形において、警戒信号の受信後、警戒モジュールは更に、警戒モジュールとリモートシステムとの接続を確認するように構成される。接続が成功している場合、警戒信号を生成し、リモートシステムに送信する。接続が成功していない場合、ローカルデバイスに、少なくとも１人の世話人と連絡を取らせるための命令をローカルデバイスに送信し、少なくとも１人の世話人に警戒警告を伝える。
【００２４】
随意に、接続が成功していない場合、リセット信号の受信後、警戒モジュールは、警戒警告を伝えることを止め、且つ少なくとも１人の世話人に連絡を取ることを止めるようローカルデバイスに命令するように構成される。
【００２５】
随意に、リセット信号に応じて、警戒モジュールは、ローカルデバイスに、少なくとも１人の世話人と連絡を取り、且つ警戒信号が停止したことを世話人に知らせるよう命令するように構成される。
【００２６】
本発明の幾つかの実施形態の更なる態様は、人を監視するためのシステムに関する。該システムは、ローカル装置及びリモート装置を含む。ローカル装置は、（ａ）人のベッドに取り付けられた少なくとも１つのセンサーからデータを受信し、そのデータを用いて、人がベッドにいる及び／又は人がベッドにいないことに関する少なくとも１つの望ましくない状態を識別するように；（ｂ）少なくとも１つの望ましくない状態の識別後、警戒警告を出力し、入力をローカルに促し、及び警戒信号を生成するように；（ｃ）リモート装置との接続を確認するように；（ｄ）リモート装置との接続が成功している場合、リモート装置に警戒信号を送信するように；（ｅ）リモート装置との接続が成功していない場合、予め定めた応答者それぞれに関連付けられた少なくとも１つのリモート通信デバイスに警戒信号を送信するように、構成される。リモート装置は、（ａ）警戒信号を受信するように；（ｂ）警戒信号の受信後、予め定めた応答者それぞれに関連付けられた少なくとも１つのリモート通信デバイスに警戒信号を送信するように、構成される。
【００２７】
変形において、少なくとも１つの望ましくない状態の識別後、及び警戒警告の生成前に、ローカル装置は、事前の警戒警告を出力し且つ入力をローカルに促すように；及び、入力が予め定めた長さの時間内に受信されない場合、警戒警告を出力して警戒信号を生成するように、構成される。
【００２８】
別の変形において、ローカル装置は、インターネットを介してリモート装置に接続される。
【００２９】
また別の変形において、ローカル装置及びリモート装置は、セルラーネットワークを介して少なくとも１つのリモート通信デバイスと通信するように構成される。
【００３０】
更なる変形において、ローカル装置及びリモート装置は、少なくとも１つのリモート通信デバイスにより受信可能なＳＭＳ又は音声メッセージの形態で警戒信号を生成するように構成される。
【００３１】
随意に、ローカル装置が事前の警戒警告後にローカル入力を受信する場合、ローカル装置は事前の警戒警告の出力を止めるように構成される。
【００３２】
また更なる変形において、ローカル装置が警戒警告後にローカル入力を受信する場合、ローカル装置は、警戒警告の出力を止めるように、及びリモート装置にリセット信号を送るように構成される。リセット信号の受信後、リモート装置は、少なくとも１つのリモート通信デバイスへ警戒信号を送信するのを止めるように構成される。
【００３３】
変形において、ローカル装置が警戒警告後にローカル入力を受信する場合、ローカル装置は、警戒警告の出力を止めるように、及びリモート装置にリセット信号を送るように構成される。リセット信号の受信に応じて、リモート装置は更に、少なくとも１つのリモート通信デバイスに、警戒が止まったことを示すメッセージをそれぞれの応答者へと伝えさせるために、取り消し信号を生成して少なくとも１つのリモート通信デバイスに送信するように構成される。
【００３４】
別の変形において、警戒信号の送信後、リモート装置は、少なくとも１つのリモート通信デバイスから認識を受信するように構成され、及び認識に応じて、リモート装置は、警戒信号の生成と送信を止めるように、及びローカル装置にリセット信号を送るように構成される。リセット信号の受信後、ローカル装置は、警戒警告の出力を止めるように構成される。
【００３５】
また別の変形において、ローカル装置による警戒信号の送信後、ローカル装置は、少なくとも１つのリモート通信デバイスから認識を受信するように構成され、及び認識に応じで、ローカル装置は、警戒信号の生成、及びそれを少なくとも１つのリモート通信デバイスへ送信することを止めるように構成される。
【００３６】
更なる変形において、リモート装置はサーバー又はコールセンターである。
【００３７】
本発明の他の特徴及び態様は、一例として本発明の実施形態に係るその特徴を説明する、添付図面と共に得られる、以下の詳細な説明から明らかとなる。概要は、単に本明細書に付随する請求項により定義される、本発明の範囲を制限しないように意図されている。
【図面の簡単な説明】
【００３８】
本発明は、１以上の様々な実施形態に係る、以下の図面を参照することで詳細に記載される。図面は、例示目的のためのみに提供されるものであり、単に本発明の典型的又は例示的な実施形態を表す。これら図面は、本発明の読者の理解を促すために提供されるものであり、本発明の広さ、範囲、又は適用可能性を制限するものではないと考慮される。例示の明瞭さ及び容易さについて、これら図面は必ずしも縮尺通りに作られるものではないことを、留意されたい。
【００３９】
本明細書に含まれる図面の幾つかは、異なる視角からの本発明の様々な実施形態を示す。付随の説明文は、「平面」、「底面」、又は「側面」の図などの図を指すが、そのような言及は単に記述的なものであり、特に明記されない限り、本発明が特定の空間的な配向で実施又は使用されることを示唆又は必要とするものではない。
【図１】本発明の幾つかの実施形態に係る、人を監視するための装置を図示するブロック図である。
【図２】本発明の幾つかの実施形態に係る、人を監視するためのソフトウェア及び／又はハードウェアのシステムを図示するブロック図である。
【図３】２つの異なる経路を介して応答者の通信デバイスとの通信を可能にする、本発明のシステムを図示するブロック図である。
【図４】本発明の幾つかの実施形態に係る、起こり得る緊急事態を示す事前の警戒信号を生成するための方法を図示するフローチャートである。
【図５】本発明の幾つかの実施形態に係る、事前の警戒信号が実際の緊急事態を示しているかどうかを判定するための方法を図示するフローチャートである。
【図６】本発明の幾つかの実施形態に係る、警戒警告を生成する方法を図示するフローチャートである。
【図７】本発明の幾つかの実施形態に係る、サーバーが応答しない場合にコールセンターに連絡を取るための方法を図示するフローチャートである。
【図８】本発明の幾つかの実施形態に係る、監視対象の人が世話をされていることを以前に連絡を取った応答者に知らせるために、本発明の監視システム／装置をリセットする方法を図示するフローチャートである。
【図９】本発明の幾つかの実施形態に係る、監視対象の人が助けを必要としていることを１人以上の応答者に知らせるために、ＳＭＳ生成システムを使用する方法を図示するフローチャートである。
【図１０】本発明の幾つかの実施形態に係る、監視対象の人が助けを必要としていることを１人以上の介護者に知らせるためにコールセンターを使用する方法を図示するフローチャートである。
【図１１】本発明の幾つかの実施形態に係る、事前の警戒信号が実際の緊急事態を示しているかどうかを判定するための方法を図示するフローチャートである。
【００４０】
図面は、完全なものであるように、又は本発明を開示された正確な形態に制限するようには意図されていない。本発明は修正及び変更により実施され得ること、及び本発明は請求項及びその同等物によってのみ制限され得ることを、理解されたい。
【発明を実施するための形態】
【００４１】
＜発明の詳細な説明＞
ここで図面を参照すると、図１は、本発明の幾つかの実施形態に係る、人を監視するための「ローカル」装置（１００）を図示するブロック図である。装置（１００）は、１以上のセンサー（１０２）、及びリモートシステム（１２０）に接続されるように構成される。
【００４２】
装置（１００）は、センサーポート（１０６）、記憶装置（１０８）、タイマー（１１０）、プロセッサ（１１２）、ローカルリンクユニット（１１４）、及びリモートリンクユニット（１１６）を含んでいる。１つの変形において、装置（１００）は、ローカルユーザーインターフェース（１１８）を含み、且つそれと一体になっている。別の変形において、装置（１００）は、ローカルユーザーインターフェース（１１８）との有線又は無線通信状態にある。
【００４３】
１以上のセンサー（１０２）は、監視対象の人のベッドに取り付けられ、ベッドに人がいる又はいないことを示す第１の信号を生成するように構成される。センサーは、例えば、圧力が上に加えられると起動又は停止されるように構成される、マットレスの上又は下に位置する圧力センサーを含み得る。随意に又は付加的に、センサーは、ベッドを監視するためのカメラ、及び、人がベッドの上にいるかどうかを判定するために前記カメラの画像又はフィードを用いるように構成される画像処理ユニットを含む。センサーは、人がベッドの上にいるかどうかを判定するために使用され得るセンサーであり得、本発明の装置（１００）は、任意の種類のセンサーの１以上からデータ信号を受信するように構成され得る。
【００４４】
装置（１００）は、センサーポート（１０６）を介して１以上のセンサー（１０２）に接続される。接続は有線式又は無線式（例えば、Ｂｌｕｅｔｏｏｔｈ（登録商標）、ＷｉＦｉ、又は他の種類の無線接続）であり得る。センサーポート（１０６）は、１以上のセンサー（１０２）から第１の信号を受信するように、及びプロセッサ（１１２）に第１の信号を提供するように構成される。
【００４５】
プロセッサ（１１２）は、電力消費、サイズ、処理速度、記憶容量、及び装置（１００）の機能性の全てを実行するための他の要因に基づいて選択される、マイクロプロセッサ、マイクロコントローラ、カスタムＡＳＩＣ、及び／又はディスクリート回路（ｄｉｓｃｒｅｅｔ ｃｉｒｃｕｉｔｒｙ）を含む。
【００４６】
タイマー（１１０）は時間を測定するように構成されるものであり、及び、記憶装置（１０８）に保存される機械可読命令に従いプロセッサ（１１２）により実行される機能としてプロセッサ（１１２）と一体となり、又は、プロセッサに結合される、異なる又は個別のハードウェア及び／又はファームウェア要素を含み得る。
【００４７】
記憶装置（１０８）は、１以上のハードディスク、ＳＤカード、ディスクオンキードライブ、フラッシュメモリ、ＳＲＡＭ、又は他のデータ記憶装置などの、１以上の不揮発性データ記憶装置を含む。記憶装置（１０８）は、機械可読命令、及び、人によるベッドの使用に関連する１以上の警戒状態を判定するために使用されるパラメータのセットを保存するように構成される。警戒状態は、緊急事態を示し得る状況を定義する。これらの状況は、予め定めた時間に及び／又は予め定めた時間間隔の間に、監視対象の人がベッドにいる又はいないことを示す働きをする（ｆｕｎｃｔｉｏｎ）。例えば、１つの警戒状態は、監視対象の人が予め定めた起床時間後にベッドにいるという状況に相当し得る。この状況は異常であり、監視対象の人がベッドから出ることができないという事実（起こり得る緊急事態である）を示し得る。
【００４８】
プロセッサ（１１２）は、第１の信号を受信し、タイマー及び記憶装置と通信状態にあり、そして、第１の信号を処理するように、且つ、記憶装置（１０８）に保存される持続時間、予測される就床時間、起床時間、例外の時間などのパラメータとの第１の信号の比較に従い緊急事態が存在するかどうかを判定するように構成される。本発明の幾つかの実施形態において、プロセッサはまた、前記状態が生じる現在時間、ベッドにいる又はいないことを示す現在状況、及び状況が最後に変更されてからの時間間隔などの、他の情報を提供し得る。監視対象の人の現在状態を判定した後、プロセッサ（１１２）は、現在状態が警戒状態であるかどうかを判定するために、現在状態を、記憶装置（１０８）に保存される警戒状態と比較する。本発明の他の実施形態において、プロセッサ（１１２）は、警戒状態が満たされているかどうかを判定するために、記憶装置（１０８）に保存される方法に従い、第１の信号を分析する。後の実施形態は、図４、５、及び１１において詳細に記載されている。プロセッサは、コンピューティングに使用される１以上の中央処理装置を含み得る。
【００４９】
警戒状態が存在するとプロセッサが判定した場合、プロセッサはアラーム信号を生成する。アラーム信号はリモートリンクユニット（１１６）に提供され、これは、サーバー及び／又はコールセンターなどのリモートシステム（１２０）と通信するように構成されたポートを含む。リモートシステム（１２０）は、アラーム信号を受信するように、及び、アラーム信号に応じて、医療関係者、又は監視対象の人の友人或いは家族などの応答者に関連付けられた、１以上のリモート通信デバイス（１２２）（電話及び／又はタブレットなど）に遠隔アラーム信号を伝えるように、構成される。遠隔システム（１２０）はまた、リモート通信デバイスからの応答を受信するように、及び、これに応じて、リモートリンクユニット（１１６）に送られる取り消し命令を生成するように、構成される。リモートリンクユニット（１１６）は、プロセッサ（１１２）に取り消し信号を提供し、プロセッサ（１１２）はアラーム信号を取り消す。このように、監視対象の人の起こり得る緊急状態が装置（１００）により検出される場合、１人以上の応答者は起こり得る緊急事態を通知される。更に、応答者の１人は、緊急事態を扱う責任を負うために、リモートアラーム警戒に応答することができる。この応答に応じて、アラーム信号はプロセッサ（１１２）により取り消される。随意に、応答がリモート通信デバイス（１２２）からリモートシステム（１２０）に送信される場合、リモートシステム（１２０）は、１人の応答者が緊急事態を扱う責任を負うことを通知するために他のリモート通信デバイス（１２２）へメッセージを送信するように構成される。
【００５０】
警戒アラーム信号はまた、ローカルリンクユニット（１１４）を介してローカルユーザーインターフェース（１１８）（装置（１００）と一体となる、又は一体でなくてもよい）へと送信される。ローカルユーザーインターフェースは、監視対象の人のベッドの近くに位置し、監視対象の人がアラームを止めることを可能にする。ローカルユーザーインターフェースは、ローカル出力装置（１２４）及びローカル入力装置（１２６）を含む。ローカル出力装置は、警戒アラーム信号を受信するように、及び、ローカルユーザーインターフェースに近接してローカルアラーム（又はローカルアラーム警告）を伝えるように構成される。ローカルアラーム出力装置は、スピーカー、ディスプレイ、光、及び／又はハプティックデバイスを含み得る。このように、警告は、音、画像、文字、又は点灯又は点滅し得る光として、及び／又は（例えば、警告を伝えるために振動し得る）ハプティックデバイスにより、伝えられ得る。
【００５１】
ローカル入力装置（１２６）は、ローカル通信デバイスの近くの人から入力を受信するように構成される。緊急事態が生じていないため、又は応答者が監視対象の人の近くにいるとともに緊急事態を扱っているため、入力はアラームを止める命令となり得る。命令は、ローカル入力装置（１２６）によりプロセッサ（１１２）に送信される、取り消し信号へと変換される。取り消し信号に応じて、プロセッサは、ローカル出力装置（１２６）にアラーム警戒信号を伝えることを止めるよう命令するように、及び、アラームが終わったことをリモートシステム（１２０）が応答者に知らせることを可能にするために、取り消し信号をリモートシステム（１２０）に送信するように、構成される。取り消し信号がリモート通信デバイス（１２２）から生じる場合、取り消し信号はプロセッサにより受信され、これは、ローカル出力装置（１２４）にアラーム警戒を伝えることを止めるよう命令するように構成される。
【００５２】
ローカル入力装置（１２６）は、タッチスクリーン、キーボード、キーパッド、ボタン、加速度計、及び音声認識用のマイクロフォンの１以上を含み得る。本発明の幾つかの実施形態において、ローカル入力装置及びローカル出力装置は、タッチスクリーンとして一緒に組み合わせられる。
【００５３】
本発明の幾つかの実施例に従い、装置（１００）は、ローカル通信デバイス（１２８）に有線又は無線で接続される。ローカル通信デバイスは、警戒信号に応じて、プロセッサから警戒信号を受信し且つアラームをユーザーに伝えるように構成される、携帯電話、タブレット、又は任意の携帯可能な電子デバイスである。ローカル通信デバイス（１２８）は更に、ユーザーによる入力を受信するように、及び入力信号に応じて取り消し信号を生成するように、構成される。ローカル通信デバイス（１２８）は、ユーザーが装置（１００）の近くにいない場合でさえ、ユーザー（ローカル通信デバイスへのアクセスを持つ監視対象の人又は任意の応答者であり得る）がアラームを取り消すことを可能にする。
【００５４】
ローカル出力装置（１２４）の場合と同様に、ローカル通信デバイス（１２８）は、スピーカー、ディスプレイ、光、及び／又はハプティックデバイスを含み得る。このように、警戒／警告は、音、画像、文字、又は点灯又は点滅し得る光として、及び／又は（例えば、警告を伝えるために振動し得る）ハプティックデバイスにより、伝えられ得る。同様に、ローカル入力装置（１２６）の場合と同じく、ローカル通信デバイス（１２８）は、タッチスクリーン、キーボード、キーパッド、ボタン、加速度計、及び音声認識用のマイクロフォンの１以上を含み得る。
【００５５】
本発明の幾つかの実施形態によると、警戒信号が生成される前に、プロセッサは、警戒状態がプロセッサ（１１２）により判定された時に応じて事前の警戒信号を生成することに、留意されたい。事前の警戒信号は、警戒アラーム信号の前に存在する場合、ローカルユーザーインターフェース及びローカル通信デバイスに送信される。事前の警戒信号に応じて、ローカルユーザーインターフェース（及び、存在する場合、ローカル通信デバイス）は、監視対象の人又は監視対象の人の近くにいる（例えば同じ家にいる）人に、装置（１００）が警戒状態を検出したことを知らせるために、事前の警戒アラームを伝える。警戒状態が緊急事態を反映しない場合（例えば、監視対象の人が、予め定めた就床時間にベッドから出てテレビを見ている）、又は、監視対象の人の近くにいる人が緊急事態を扱うことができる場合、監視対象の人、又は監視対象の人の近くにいる人は、ローカルユーザーインターフェース又はローカル通信ユニットへの入力を介して、装置（１００）に、事前の警戒信号を取り消し、ローカルの事前の警戒アラームを伝えることを止め、且つ警戒アラーム信号の生成を止めるように命令することができる。装置（１００）が予め定めた時間間隔内に取り消し信号を受信しない場合、プロセッサは、警戒アラーム信号を生成し、これは、１以上のリモート通信デバイス、ローカルユーザーインターフェース、及び／又は、存在する場合にローカル通信デバイスに提供される。このように、応答者は、非緊急状態、又は既に扱われている緊急状態のために連絡を取られることはない。
【００５６】
本発明の幾つかの実施形態において、ローカル出力装置は、睡眠のためのより友好的な環境を提供するために、予め定めた期間の間、毎日暗くなるように構成されるディスプレイを含む。代替的に又は付加的に、ディスプレイは、ディスプレイの色が反転される、「睡眠時間モード」を持つ。故に、白色の背景は黒くなり、黒い文字は少し灰色に変わる。
【００５７】
本発明の幾つかの実施形態において、「睡眠時間モード」は、以下の条件の幾つか又は全てが満たされた場合にのみ起動される：（ｉ）現在時間が、（就寝時間後であるが、起床時間の前の）睡眠時間の間にある；（ｉｉ）感知ユニットが、ベッドに誰かがいることを示した（例えば、圧力パッドが最小限の圧力を感知して、誰かがベッドにいることを示す）；（ｉｉｉ）入力装置が、予め定めた時間の長さ（例えば３０秒、４５秒、６０秒）にわたり相互に作用されなかった。このように、ディスプレイは、監視対象の人が起きて、恐らく部屋を動き回っている場合には明るくなるが、睡眠のためのより友好的な環境を提供するために、人がベッドにいる場合には（単純に光を消すことにより及び／又は色を反転することにより）暗くなる。
【００５８】
本発明の幾つの実施形態において、ローカル入力装置（１２４）は適応可能なスヌーズを含む。早起きする人に対応するために、ボタンの形態であるこの適応可能なスヌーズは、押されるとプロセッサ（１１２）へ信号を送信し、この信号はプロセッサ（１１２）に監視対象の人がその日起きていることをリモートシステム（１２０）へと通知させる。これを受けて、リモートシステム（１２０）は、ＳＭＳメッセージ、電子メール、Ｆａｃｅｂｏｏｋ ａｌｅｒｔなどのメッセージを１人以上の介護者に送信して、監視対象の人がその日起きていることを述べる。ボタンは、タッチスクリーン上の物理ボタン又は仮想ボタンであり得る。ボタンはまた、ウェアラブルデバイスを含み得、これは、人が直立位置にある時を感知することができ、且つ人の状況、即ち「直立している」又は「横になっている」ことを無線で送信するためのものである。随意に、ボタンがタッチスクリーン上にある場合、監視対象の人が、自身の予定した起床時間の前ではあるが今なおプログラムした起床時間に比較的近い時間にベッドから起き上がっている場合にのみ、ボタンが現われる。
【００５９】
変形において、適応可能なスヌーズは、夜に長期間にわたり起きている監視対象の人に適応させるように構成される。適応可能なスヌーズは、監視対象の人がスヌーズに付加時間を加えることを促す、スクリーンの形態であってもよい。これにより、監視対象の人は、事前の警戒アラーム信号及び／又はアラーム警戒信号を引き起こすことなく読書し又はテレビを見るために、真夜中により長い時間ベッドから離れることが可能となる。この特徴は、長時間にわたり落下が検出されなくなり得るという危険性を示し得る。このより大きな危険性のために、この適応可能なスヌーズの形態は、監視対象の人及び／又は介護者／応答者が選ぶ（ｏｐｔ ｉｎ）場合にのみ、利用可能とされ得る。
【００６０】
変形において、装置（１００）はプログラム可能であり、構成における変化が生じた場合に、構成情報をリモートシステム（１２０）に報告するよう構成されている。随意に、構成の変化は、リモートシステム（１２０）から装置（１００）まで推し進められ（ｐｕｓｈｅｄ）得る。これは、ウェブポータルにリモートシステム（１２０）との直通通信無線をもたらすことにより行われ得る。ウェブポータルは、新たな連絡、就寝時間、猶予期間などにより自身の監視システムを遠隔で更新する性能を、ユーザーに提供する。
【００６１】
随意に、ウェブポータルは、家族の一員又は世話人などの選ばれた人々へと、少なくとも部分的にアクセス可能である。ウェブポータルへのアクセスを持つ人は、監視対象の人に思い出させたい、近く起こるイベント又は約束を追加することができる。装置（１００）がリモートシステム（１２０）に連絡を取る場合、これらイベント又は約束が、装置（１００）によりダウンロードされ、適切な時間まで保存される。一旦、約束が近づくと、ローカル出力装置（１２４）及び／又はローカル通信デバイス（１２８）はリマインダーを表示する。
【００６２】
リモートシステム（１２０）とローカル装置（１００）との通信が動作可能かどうかを確認するために、ローカル装置（１００）は、１以上のＩＰパケットなどのチェックインメッセージ（ｃｈｅｃｋ−ｉｎ ｍｅｓｓａｇｅ）を生成して、リモートリンクユニット（１１６）に、一実施形態において、予め定めた頻度（例えば、１時間に数回）でリモートシステム（１２０）にパケットを送信するよう命令する。随意に、リモートシステム（１２０）は、このデータを集め、ローカル装置（１００）が予め定めた時間長さにわたりチェックインしていない場合には、リモートシステム（１２０）は、何かが誤っていることを、リモート通信デバイス（１２２）を介して少なくとも１人の応答者に通知する。
【００６３】
本発明の幾つかの実施形態において、ローカル装置（１００）は、新しいファームウェアの更新が利用可能であるかどうかを判定するために、予め定めた頻度（例えば１日１回）でリモートシステム（１２０）（例えばサーバー）に問い合わせを行う。更新がある場合、ローカル装置は、更新ファイルをダウンロードし、ファイルの内容が有効であることを確認し、その日の非動作時間中に更新を適用し得る。一旦更新が完了すると、ローカル装置（１００）は再起動し、正常な動作状態にまで戻る。随意に、更新と再起動は、ユーザー（監視対象の人又はその介護者）に知らせることなく生じる。
【００６４】
図２は、本発明の幾つかの実施形態に係る、人を監視するためのソフトウェア及び／又はハードウェアのシステム（２００）を図示するブロック図である。システム（２００）は複数のモジュールを含む。各モジュールは、システムの動作を実行するのに適している、マイクロプロセッサ、マイクロコントローラ、カスタムＡＳＩＣ、及び／又はディスクリート電子部品などの、プロセッサ上で各プロセスを行うように構成された、データ処理及び分析ユーティリティーのハードウェア及び／又はソフトウェア要素として実装され得る。
【００６５】
システム（２００）は、分析モジュール（２０２）、警戒モジュール（２０４）、及びリセットモジュール（２０６）を含む。分析モジュールは、１以上のセンサー（２０８）からのセンサーデータ、タイマー（２１０）からの時間測定、及びメモリモジュール（２１２）からのシステムの動作のためのコマンドを示す第１のデータを受信するように構成され、メモリモジュール（２１２）には第１のデータが保存されている。図１と同様に、１以上のセンサー（２０８）は、監視対象の人のベッドに取り付けられ、人がベッドにいる又はいないことを示すセンサーデータを生成する。また、メモリモジュールにおける第１のデータは、警戒状態に関する情報を含む。分析モジュールは、人がベッドにいること及び／又はいないこと、並びに人がベッドにいる及び／又はいない時間長さに関して、望ましくない状態が存在するかどうかを判定するために、センサーデータ、第１のデータ、及び時間データを使用する。
【００６６】
例えば監視対象の人がベッドから出ている時間の長さを予め定められて許容された期間と比較することにより、望ましくない状態が識別される場合、分析モジュール（２０２）は第１の制御信号を出力する。第１の制御信号は、第１の制御信号に応じて警戒信号を生成するように構成される警戒モジュール（２０４）に送信される。警戒モジュールは、リモートシステム（２１４）、及び随意にローカル装置（２１６）に警戒信号を送信する。リモートシステム（２１４）は、図１のリモートシステム（１２０）と同様であり、応答者に関連付けられる１以上のリモート通信デバイスと通信状態にある。ローカル装置（２１６）は、ローカルユーザーインターフェース（１１８）、及び随意に図１のローカル通信デバイス（１２８）と同様である。リモート通信デバイス及びローカル装置は、警戒警告を伝えるように構成される。
【００６７】
リセットモジュール（２０６）は、ローカルデバイス（２１６）及び／又はリモートシステム（２１４）からリセット信号を受信するように、及び、リセット信号に応じてリセット制御信号を生成するように構成される。リセット信号は警戒モジュール（２０４）に送信され、これは次に、ローカルデバイス（２１６）に、警戒警告を伝えることを止めるよう命令し、及びシステムデバイス（１２０）に、少なくとも１人の世話人に連絡を取ることを止め、及び／又は警戒に関連した状態が注意されていることを示す信号を世話人に送信するよう命令する。
【００６８】
随意に、システム（２００）は、事前の警戒モジュール（２１８）を含む。事前の警戒モジュール（２１８）は、分析モジュール（２０２）から第１の制御信号を受信し、その一方で第１の制御信号が警戒モジュールに到達し且つ起動するのを妨げる。第１の制御信号に応じて、事前の警戒モジュールは、事前の警戒信号を生成し、この信号をローカル装置（２１６）に送信する。事前の警戒信号の受信後、ローカル装置は、事前の警戒警告を（例えば、監視対象の人、及び／又は、監視対象の人の近くにいる、例えば同じ家にいる他の人へと）ローカルに伝えるように構成される。
【００６９】
事前の警戒モジュールは更に、ローカルデバイスが、第１のデータにおいて指定された、予め定められた猶予期間よりも長い時間間隔にわたり事前の警戒モードにあるかどうかを判定するために、メモリモジュール（２１２）からの第１のデータ、及びタイマー（２１０）からの時間測定を受信するように構成される。この場合には、事前の警戒モジュール（２１８）は、第２の制御信号を生成し、これを警戒モジュール（２０４）に送信するように構成される。第２の制御信号に応じて、警戒モジュールは、起動され且つ上述のプロセスを実行するように構成される。
【００７０】
本発明の幾つかの実施形態において、事前の警戒モジュール（２１８）は、リセットモジュール（２０６）からリセット信号を受信するように、及び、リセット信号に応じて、ローカルデバイスに事前の警戒警告を伝えることを止めるよう命令するように、構成される。
【００７１】
随意に、システム（２００）は、ローカル装置（２０６）を介してプログラム可能なスイッチモジュール（２２０）を含む。スイッチモジュール（２２０）は、そのプログラミングに従い、分析モジュール（２０２）から第１の制御信号を受信するように、及び、警戒モジュール（２０４）又は事前の警戒モジュール（２１８）に第１の警戒信号を送信するように構成される。スイッチ（２２０）により、ユーザーは、望ましくない状態の識別が事前のアラームモジュールを起動すべき（それにより、応答者に連絡を取る前に監視対象の人はシステムをリセットすることができる）かどうか、又は、アラームモジュールを直接起動させるべき（それにより、望ましくない状態の識別を遠隔の応答者に知らせる）かどうかを、推測的に決定することが可能となる。
【００７２】
随意に、望ましくない状態は、以下の条件の１以上を含む：（ｉ）第１のデータにおいて指定された就寝時間の間に、人がベッドから出ている；（ｉｉ）第１のデータにおいて指定された起床時間後に、人がベッドにいる；及び、（ｉｉｉ）第１のデータにおいて指定された、予め定められた時間間隔よりも長い時間間隔にわたる就寝時間の間に、人がベッドから出ていた。
【００７３】
本発明の幾つかの実施形態において、警戒モジュールは、ローカルユーザーがローカルデバイス（２１６）を介して警戒信号を取り消すなどの場合において、リモートシステム（２１４）に、１以上の世話人に連絡を取り且つ彼らに警戒信号が停止したことを知らせるように命令するように、構成される。別の実施形態において、数人の世話人のうち１人は、リモートシステム（２１４）に連絡を取って世話人が問題に対処することを示し、及びリモートシステム（２１４）は、他の世話人に連絡を取り、世話人の１人が問題に対処していることを通知する。このように、一旦応答者が監視対象の人を確認するための責任を負うと、他の応答者にこの事実が通知される。
【００７４】
随意に、ローカルデバイス（２１６）は、リモートシステム（２１４）と通信状態にある、スマートフォン、タブレット、又はコンピュータなどのリモートデバイスと通信するように設定され得る。そのような実施形態において、警戒モジュールは、それ自体のリモートシステム（２１４）との接続を確認するように構成される。接続が成功している場合、警戒モジュールは、警戒アラーム信号をリモートシステム（２１４）に送信し、リモートシステム（２１４）に１以上のリモートデバイスとの連絡を行わせる。接続が成功していない場合、警戒モジュールは、ローカルデバイス（２１６）に命令信号を送信し、ローカルデバイス（２１６）に、携帯電話データ（ｃｅｌｌｕｌａｒ ｄａｔａ）、Ｗｉ−Ｆｉ、又はローカルデバイス（２１６）に含まれ得る他の幾つかの通信技術などによりリモートデバイスと直接連絡を取るよう命令するように構成される。また、警戒モジュールとリモートシステムとの接続が成功していない例では、変形において、警戒モジュールは、リセット信号に応じて、ローカルデバイス（２１６）に応答者との連絡を止めるように命令し、及び随意に、警戒信号が停止したことを応答者に知らせるように命令するように、構成される。
【００７５】
図３は、２つの異なる経路を介して応答者の通信デバイスとの通信を可能にする、本発明のシステムの１つの実施形態を図示するブロック図である。
【００７６】
本発明の幾つかの実施形態に係る、人を監視するためのシステム（３００）が提供される。該システムは、ローカル装置（３０４）及びリモート装置（３０６）を含む。ローカル装置（３０４）は図１の装置（１００）と同様である。リモート装置（３０６）は、図１のリモートシステム（１２０）と同様であり、且つサーバー又はコールセンターを含み得る。ローカル装置（３０４）は、センサー（３０２）から信号を受信し、そして、上記実施形態において説明されるように、監視対象の人のベッドの使用に関して望ましくない状態が生じているかどうかを判定するように構成される。望ましくない状態が生じる場合、ローカル装置（３０４）は、それ自体のリモート装置（３０６）との接続を確認する。接続が成功している場合、ローカル装置は、警戒信号をリモート装置（３０６）に送信する。警戒信号に応じて、リモート装置（３０６）は、警告を伝えるために、携帯電話やタブレットコンピュータなどの、各応答者に関連付けられた１以上のリモート通信デバイスに連絡を取る。警告は、ＳＭＳメッセージ、電子メール、又は音声メッセージの形態でもよい。接続が成功していない場合、ローカル装置（３０４）は１人以上の応答者に直接連絡を取る。
【００７７】
１つの実施形態において、ローカル装置（３０４）とリモート装置（３０６）は、インターネットを介して互いに接続される。別の実施形態において、ローカル装置（３０４）又はリモート装置（３０６）と、１以上のリモート通信デバイスとの連絡は、セルラーネットワークなどの電話ネットワーク、又はインターネットなどの広域ネットワークを介する。
【００７８】
随意に、ローカル装置（３０４）は、１以上のリモート通信デバイス（３０８）からリセット命令／信号を受信するように、及びリモート装置（３０６）にリセット信号を伝えるように構成される。リセット信号に応じて、ローカル装置（３０４）は、ローカル警告の伝送を止めるように、及び随意に、リモート通信デバイス（３０８）に警戒信号を送信するのを止めるように、構成される。リセット信号に応じて、リモート装置（３０６）は、警戒信号をリモート通信デバイス（３０８）に送信するのを止めるように構成される。
【００７９】
随意に、リモート装置（３０６）は、１以上のリモート通信デバイス（３０８）からリセット命令／信号を受信するように、及びローカル装置（３０４）にリセット信号を伝えるように構成される。リセット信号に応じて、ローカル装置は、ローカル警告の伝送を止めるように構成される。リセット信号に応じて、リモート装置は、警戒信号をリモート通信デバイス（３０８）に送信するのを止めるように構成される。
【００８０】
本発明の幾つかの実施形態において、警戒信号に応じて、リモート装置及びローカル装置は、少なくとも１つのリモート通信デバイス（３０８）に取り消し信号を送信するように構成される。取り消し信号により、少なくとも１つのリモート通信デバイス（３０８）は、警戒が停止したことを示すメッセージを各応答者に伝える。
【００８１】
変形において、ローカル装置（３０４）は、望ましくない状態が識別された時に、ローカルの事前の警戒警告、例えば可聴式の警戒を伝えるように構成される。予め定めた時間間隔内にローカルデバイス（３０４）の近くにいる人から、ローカルデバイスにより入力が受信されない場合、ローカルデバイス（３０４）は、警戒信号を生成するように構成される。
【００８２】
本発明の幾つかの実施形態において、システム（３００）は第２のリモート装置（３０７）を含む。このように、ローカル装置（３０４）と第１のリモート装置（３０６）との接続が失敗する場合、ローカル装置は、第２のリモート装置に警戒信号を送信することができ、第２のリモート装置は、リモート通信デバイス（３０８）へと警戒信号をリレーすることができる。例えば、第１のリモート装置（３０６）はサーバーであり、一方で第２のリモート装置（３０７）はコールセンターでもよい。
【００８３】
随意に、センサー（３０２）はシステム（３００）の一部である。
【００８４】
図４は、本発明の幾つかの実施形態に係る、起こり得る緊急事態を示す事前の警戒信号を生成するための方法を示すフローチャート（４００）である。
【００８５】
本発明の幾つかの実施形態において、図１のプロセッサ（１１２）及び図２の分析モジュール（２０２）は、次の機能を実行する：ベッドにいないことの確認、ベッドから出ていないことの確認、及びベッドに戻っていないことの確認。ベッドにいないことの確認は、監視対象の人が、予め定めた就寝時間の開始直後にベッドにいるかどうかを判定する。ベッドから出ていないことの確認は、監視対象の人が、予め定めた就寝時間の終わりの直後であってもベッドにいるかどうかを判定する。ベッドに戻っていないことの確認は、監視対象の人が就寝時間の間にベッドにいるかどうかを判定し、その一方で、例えば浴室を利用するために、監視対象の人が特定の猶予期間にわたりベッドから離れることを許容する。これらの予め定めた時間の幾つか又は全ては、ローカルユーザーインターフェース（１１８）、ローカル通信デバイス（１２８）、及び／又はリモート通信デバイス（１２２）のユーザーにとってプログラム可能なものであり得る。
【００８６】
（４０２）では、タイマー（１１０）から時間が確認され、（図１及び図２それぞれの）メモリモジュール（１０８）又は（２１２）からのデータは、就寝時間の期間が開始したばかりかどうかを判定するためにプロセッサ（１１２）により使用される。就寝時間の期間が開始したばかりの場合、監視対象の人はベッドにいることとなっており、ベッドにいないことの確認がプロセッサ（１１２）により実行される。故に、（４０４）では、センサーから受信されたデータは、例えばマットレスの上又は下に位置する圧力パッドに圧力がかけられているかどうかを確認することによって、監視対象の人がベッドにいるかどうかを判定するために、プロセッサ（１１２）により使用される。監視対象の人がベッドにいる場合、監視対象の人が助けを必要としていないと仮定しても間違いない。故に、このループがプロセス動作の最初に戻って達成される。監視対象の人がベッドにいない場合、監視対象の人がベッドに到着することができなかった、及び補助を必要としているという可能性がある。故に、（４０５）では、プロセッサ（１１２）は、事前の警戒信号を生成し、この信号をローカル出力装置、例えばローカルユーザーインターフェース（１１８）及び／又はローカル通信デバイス（１２８）に送信する。
【００８７】
就寝時間の期間が開始したばかりでない場合、就寝時間の期間が終了したばかりかどうかを判定するための確認が、プロセッサ（１１２）により（４０６）において行われる。就寝時間の期間が終了したばかりの場合、監視対象の人はこれ以上ベッドにいなくてもよく、ベッドから出ていないことの確認がプロセッサ（１１２）により実行される。故に、センサーから受信されたデータは、人がベッドにいるかどうかを判定するために（４０８）において使用される。監視対象の人がベッドにいない場合、監視対象の人が自身のスケジュールに従い且つ補助を必要としていないと仮定しても間違いない。故に、このループがプロセスの最初に戻って実行される。監視対象の人がまだベッドにいる場合、スケジュールから逸脱が検出され、監視対象の人はベッドから離れる状態ではない場合がある。故に、プロセッサ（１１２）は、（４０５）にて事前の警戒信号を生成し、この信号をローカル出力装置、例えばローカルユーザーインターフェース（１１８）及び／又はローカル通信デバイス（１２８）に送信する。
【００８８】
就寝時間の期間が開始したばかりでない、又は終了したばかりでない場合、タイマー（１１０）からの時間を就寝時間の期間と比較することにより、現在時間が就寝時間の期間内にあるかどうかを判定するための確認が、プロセッサ（１１２）により（４１０）において行われる。そうでない場合、このループはプロセスの始めに戻り実行される。現在時間が就寝時間の期間内である場合、プロセッサ（１１２）により監視対象の人がベッドにいるかどうか判定し、センサー（１０２）／（２０８）／（３０２）からのデータを評価するための確認が、（４１２）にて行われる。監視対象の人がベッドにいる場合、監視対象の人は自身の通常のスケジュールに従っており、監視対象の人が助けを必要としていないと仮定しても間違いない。故に、このループがプロセスの最初に戻って実行される。監視対象の人がベッドにいない場合、プロセッサ（１１２）は、人がベッドから出ていた時間の長さを判定する。これは、監視対象の人が、浴室に行く又は水を飲むために、就寝時間の期間の最中にベッドから出る場合があるためである。プロセッサ（１１２）は、人がベッドにいないと判定された時間を測定し、いつ人がベッドに戻るのかを監視する（４１４）。監視対象の人がベッドから出ている時間の長さが、予め定めた猶予期間を越えない場合、監視対象の人は安全であり、自発的にベッドから離れたのかもしれない。故に、ループがプロセスの始めに戻って実行される。しかし、予め定めた猶予期間内に人がベッドに戻らない場合、センサーデータ及びタイマー（１１０）により判定されるように監視対象の人は、困難に遭遇し、補助を必要としているかもしれない。故に、プロセッサ（１１２）は（４０５）にて事前の警戒信号を生成し、その信号はローカル出力装置に送信される。
【００８９】
随意に、図１の装置（１００）の主な電源は、主電源に差し込まれる電気プラグであり、装置（１００）はまた、装置が電源断中に動作し続けることを可能にする、内部電池バックアップを含む。本発明の幾つかの実施形態において、装置は電源を継続的に監視し、電力が遮られた場合には、制御ユニットが事前の警戒信号を生成する。
【００９０】
図５は、本発明の幾つかの実施形態に係る、事前の警戒信号が実際の緊急事態を示しているかどうかを判定するための方法を図示するフローチャート（５００）である。
【００９１】
監視対象の人が自身の通常のスケジュールから外れると、又は電源異常の結果として、事前の警戒信号が（４０５）にて生成される。しかし、このことは、緊急事態の状況を示す、又は示さないこともある。電源異常が短い、又は、監視対象の人が、通常よりも長く起きていること、通常よりも長く寝ていること、又は就寝時間の期間中に通常よりも長くベッドから離れることを決めることであり得る。故に、事前の警戒信号が生成され、事前の警戒警告が（５０２）においてローカル出力装置により放たれた後、監視対象の人は、自身が補助を必要としていないことを示すために事前の警戒警告に応答することができる。
【００９２】
事前の警戒信号が制御装置により生成され、ローカル出力装置に送信された後、ローカル出力装置は、例えば音及び／又はディスプレイ上の画像を介して、事前の警戒警告を発する。ディスプレイ上の画像は、警戒信号がリモートシステムに送信される前に残っている時間を示す、カウントダウンを含み得る。
【００９３】
監視対象の人の応答のための猶予期間、又は電力が回復される猶予期間（例えば３０秒、１分、２分など）が満了したかどうかを判定するために、（５０４）における確認がプロセッサ（１１２）により行われる。猶予期間の何れかが満了した場合、電源異常が監視システムの動作に影響を及ぼし得ると、又は、監視対象の人が、ローカル入力装置、及び自身が補助を必要としていないという信号に到達することを妨げる困難に遭遇したと、仮定される。故に、警戒信号は、プロセッサ（１１２）により（５０８）において生成され、且つ起こり得る緊急事態の応答者に警告を行うためにリモートシステムに送信される。
【００９４】
電源異常の場合において、猶予期間がまだ満了していなければ、電力が回復する又は猶予期間が満了するまで（どちらが早く生じたとしても）、猶予期間が満了したかどうかを判定するための確認が、プロセッサ（１１２）において繰り返し行なわれ得る。電力が猶予期間内に回復した場合、システムがリセットされ得る。猶予期間が満了した場合、警戒信号が生成され得る。
【００９５】
事前のアラート信号が、（「ベッドにいない」、「ベッドから出ていない」、及び「ベッドに戻っていない」ことの確認に応じた）監視対象の人の補助の必要性に応じて生成される場合、監視対象の人が事前の警戒警告に応答したかどうかを判定するための確認が、プロセッサ（１１２）により（５１０）において行われる。応答は、例えば、キーボード上のキー、タッチスクリーン上の仮想ボタン、又は、図１の装置（１００）と通信状態にあるローカル入力装置（１２４）の又はローカル通信デバイス（１２８）上のボタンを押すことにより、達成され得る。応答が検出された場合、事前の警戒警告は止められ、システムは（５１４）にてプロセッサ（１１２）によりリセットされる。
【００９６】
応答が受信されなかった場合、事前の警戒が、ベッドから出ていないことの警戒であるかどうかを判定するための確認が、プロセッサ（１１２）により（５１６）において行われる。事前の警戒が、ベッドから出ていないことの警戒である場合、監視対象の人がまだベッドにいるかどうか判定するための確認が、プロセッサ（１１２）により（５１８）において行われる。監視対象の人がベッドにいる場合、センサー（１０２）／（２０８）／（３０２）からのデータを用いてプロセッサ（１１２）により判定されるように、監視対象の人は単に起き上がるのが遅かったかもしれず、ループは事前の警戒警告の放出に戻り実行される。監視対象の人がベッドにいない場合、監視対象の人は起き上がっており、ローカル入力装置から遠くの場所にいると仮定され、そのため事前の警戒警告は（５２０）にて取り除かれ、装置は（５１２）にてプロセッサ（１１２）によりリセットされる。
【００９７】
事前の警戒がベッドから出ていないことの警戒ではなく、且つ現在時間が就寝時間の期間内にある場合、監視対象の人がベッドにいるかどうかを判定するための確認が、（５２０）にてプロセッサ（１１２）により行われる。監視対象の人がベッドにいる場合、その人は眠っているだけかもしれず、そのため事前の警戒警告は取り除かれ、システムはプロセッサ（１１２）によりリセットされる。監視対象の人が、就寝時間の期間中にベッドにいない場合、そして補助を必要としない限りは、監視対象の人は、猶予期間内にローカル入力装置に到達しなければならない。故に、この方法は、事前の警戒警告の放出に戻りループする。
【００９８】
他の事象も、事前の警告を誘発し得る。そのような事象が、実際の緊急事態に相当するかどうかが判定される。これは、図１１のチャートに従い行われる。
【００９９】
１つのそのような事象は、監視システムの装置（１００）へのセンサー（１０２）の接続である。例えば、センサー（１０２）が圧力パッドを含む場合、該パッドは、ユニットが正しく機能するよう常に接続されている。しかし、パッドは、交換の必要が生じる前に使用可能な寿命を有していること、及び、使用中に装置（１００）から不注意に分離されるようになり得ることが、知られている。これらの事実を考慮すると、装置（１００）は、圧力がパッドにかけられるかどうかにかかわらず、パッドが接続されているかどうかを判定するために継続的に監視を行う場合がある。
【０１００】
ここで図１１を参照すると、パッドが分離されたことをプロセッサ（１１２）が判定する場合、プロセッサ（１１２）は（１１００）にて事前の警戒信号を生成し、（１１０２）にてローカルユーザーインターフェース（１１８）及び／又はローカル通信デバイス（１２８）によって警告が伝えられる。（（１１０４）の確認において見られるように）パッドが予め定めた時間（猶予期間）にわたり、又はそれよりも長く分離されていることをプロセッサ（１１２）が判定する場合、事前の警戒警告は（１１０６）にて止められ／取り除かれ、アラーム信号が（１１０８）にてプロセッサ（１１２）により生成される。（（１１１０）の確認において見られるように）猶予期間が終わる前にパッドが再接続／回復される場合、システムは（１１１２）においてプロセッサ（１１２）によりリセットされる。猶予期間の遅れは、警戒信号を生成することなく且つ世話人を悩ませることなく、監視対象の人又はそのヘルパーに、現行のベッドパッドを取り外し且つそれを新しいものに交換するのに十分な時間、又は、装置（１００）及び／又はパッドへの接続を確認するのに十分な時間を提供する。
【０１０１】
使用される圧力パッドは、特定の製品寿命を提供するように製造される。パッドは、例えば３０日、６か月、１年、又は２年にわたり評価され（ｒａｔｅｄ）得る。寿命は典型的にパッド上に印付けられる。
【０１０２】
本発明の幾つかの実施形態において、パッドが接続されている場合、プロセッサ（１１２）は、ローカルユーザーインターフェース（１１８）及び／又はローカル通信デバイス（１２８）を介して、パッドが新しいか古いかを、ユーザーに問い合わせる。パッドが新しい場合、プロセッサ（１１２）は、パッドの時間定格（ｔｉｍｅ ｒａｔｉｎｇ）を入力するようユーザーに促す。プロセッサ（１１２）は、メモリ（１０８）に、現在の日付とともにこの情報を保存し、パッドが寿命を迎える前の予め定めた期間（例えば、１０日、３０日）内に、新しい交換用パッドが注文されるべきであることを示すＳＭＳメッセージをユーザーに提供し得る。随意に、装置は、装置の適切な動作を確実にするため可能な限り早急に新しいパッドを設けることをユーザーに思い出させるために、パッドが実際に寿命を迎える数日前に、ローカルユーザーインターフェース（１１８）及び／又はローカル通信デバイス（１２８）を介して、別の通知を送信する。
【０１０３】
図６は、本発明の幾つかの実施形態に係る、警戒警告を生成する方法を図示するフローチャート（６００）である。
【０１０４】
警戒信号がプロセッサ（１１２）により（６０２）において生成される場合、警戒信号は、ローカルリンクユニット（１１４）を介してローカル出力装置（１２４）に送信され、それにより、ローカル出力装置（１２４）は、可聴式、視覚的、及び触知的な警戒といった警戒警告を生成する。随意に、警戒警告は、（６０４）において警告を認識するよう監視対象の人に促す場合がある。随意に、点滅光が（６０６）にて起動され、可聴式アラームが、ローカル出力装置（１２４）において（６０８）にて起動される。監視対象の人が看護師のケアを受けている場合、警戒警告を看護師に通知するために、ナースコール信号が（６１０）にて起動され得る。遠隔の通知は、１人以上の応答者のリモート通信デバイス（１２２）へ直接、又は、リモート通信デバイスに通知が送信されるリモートシステム（１２０）へと、装置（１００）により（６１２）において送信され得る。リモートシステムは、そのような通知を、メモリ（１０８）に予め保存され且つ装置（１００）により提供されるか、又はリモートシステム（１２０）に予め保存される、１以上の予め定めた電話番号、ＩＰアドレス、電子メールアドレスなどに送信することにより、ＳＭＳ、電子メール、音声通話、又はデータ警戒を生成し得る。本発明の幾つかの実施形態において、警戒信号が電源異常に応じて生成される場合、ＳＭＳ、音声通話、又はデータ警戒は、ローカル出力装置（１２４）において警戒警告を表示することなく、直ちに起動される。
【０１０５】
図７は、本発明の幾つかの実施形態に係る、サーバーが応答しない場合にコールセンターに連絡を取るための方法を図示するフローチャート（７００）である。
【０１０６】
上述のＳＭＳ警戒に従い、応答者が、（ＳＭＳを介して、又は監視システムに直接命令をローカルに入力することにより）（７０２）において応答せず、且つ監視対象の人が今なお警戒警告を認識することができない場合、リモートシステム（３０６）又は（１２０）（例えばサーバー）は、（７０４）において装置（１００）／（３０４）により、監視対象の人が応答しないことを通知され、警戒信号が（７０６）においてコールセンターへ送信される。随意に、コールセンターは人員が配置される。代替的に、コールセンターは自動化される。
【０１０７】
図８は、本発明の幾つかの実施形態に係る、監視対象の人が世話をされていることを以前に連絡を取った応答者に知らせるために、本発明の監視システム／装置をリセットする方法を図示するフローチャートである。
【０１０８】
リセット信号は、例えばローカルユーザーインターフェース（１１８）及び／又はローカル通信デバイス（１２８）から、（８０２）において生成される場合、ローカル警戒警告を止めるためにローカル出力装置（１２４）に送信される。随意に、監視対象の人に警告を確認するよう促す警告は、（８０４）において出力装置（１２４）のディスプレイから取り除かれる。随意に、点滅光は（８０６）にて停止され、可聴式アラームは、ローカル出力装置（１２４）において（８０８）にて停止される。監視対象の人が看護師のケアを受けている場合、ナースコール信号は（８１０）においてプロセッサ（１１２）により停止される。遠隔のリセット通知は、（８１２）において、リモート通信デバイス（１２２）及び／又はリモートシステム（１２０）に送信され得る。リモートシステム（１２０）は、警戒が止まったことを応答者に通知するための通知を生成し、且つ１以上の予め定められた電話番号、電子メールアドレス、ＩＰアドレスなどに通知を送信し得る。
【０１０９】
図９は、本発明の幾つかの実施形態に係る、監視対象の人が助けを必要としていることを１人以上の応答者に知らせるために、ＳＭＳ生成システムを使用する方法を図示するフローチャートである。
【０１１０】
警戒信号がプロセッサ（１１２）により（９００）において生成されると、（リモートシステム（１２０）の補助の有無にかかわらず）図１の装置（１００）は、遠隔の応答者それぞれに関連付けられた１以上のリモート通信デバイスに警戒信号を送信しようと試みる。この目的のために、２つの異なる通信経路が、冗長性のために試みられる場合がある。
【０１１１】
（９０２）にて、警戒信号は、ＳＭＳメッセージを送受信し、且つ適宜作用する性能を持つ、インターネットサーバ（遠隔システム（１２０））へと渡される（ｈａｎｄｅｄ  ｏｆｆ）。サーバー（１２０）が警戒信号を受信すると、ローカル装置（１００）又は（３０４）は単純に、更新についてサーバー（１２０）に問い合わせる。より具体的には、ローカル装置は、サーバーとの通信が（９０４）において成功している（サーバーの応答が上手くいく（ｓｅｒｖｅｒ ｒｅｔｕｒｎｓ ｓｕｃｃｅｓｓ））かどうかを確認する。もしそうであれば、（９０６）に示される予め定めた時間間隔（例えば、１０、２０、及び３０秒）の後、ローカル装置は、（９０８）にてサーバーから更新を要求し、（９１０）にてサーバーとの通信が成功している（サーバーの応答が上手くいく）かどうかを確認する。通信が成功している場合、サーバーは、世話人／応答者／友人又は家族等の他の利害関係者にＳＭＳを送信し、（９１２）において世話人／応答者／他の利害関係者の少なくとも１人がＳＭＳ（サーバー上で確認される警戒）を認識したかどうかを確認する。少なくとも１人の応答者がＳＭＳを認識した場合、装置（１００）は（９０４）にてリセットされる。どの応答者もＳＭＳを認識しない場合、警戒が装置（１００）においてローカルに確認されるかどうかを判定するための確認が、サーバー（１２０）により（９１６）にて行われる。監視対象の人の起こり得る補助の必要性に対応して警戒が生成された場合、警戒は、監視対象の人又は世話人が監視システムの入力装置に到達し、警戒を止めるよう指示した時にローカルに確認される。警戒が停電に応じて生成された場合、警戒は、電力が回復される時にローカルに確認される。警戒がローカルに確認される場合、ローカルな認識の確認は、装置（１００）により（９１８）においてサーバーへと送信され、サーバー（１２０）は応答者への連絡を止め、装置（１００）は（９１４）にてリセットされる。サーバーがＳＭＳを送信できず、且つ警戒信号がローカルに確認されない場合、プロセスは、再びサーバー（１２０）に連絡を取る前に装置（１００）が予め定めた時間、待機する工程（９０６）にループする。
【０１１２】
本発明の幾つかの実施形態において、装置（１００）とサーバー（１２０）との接続は、携帯電話のデータ接続を介して達成される。
【０１１３】
随意に、装置（１００）は、サーバー（１２０）に依存する必要無しに、応答者のリモート通信デバイスに直接通知を送信するように構成される、送信デバイス（例えばモデム、携帯電話のＡＳＩＣ、Ｗｉ−Ｆｉトランシーバなど）を含む。この実施形態において、装置（１００）とサーバー（１２０）との通信が常に失敗する場合（例えば、サーバーがダウンする、又は携帯電話データサービスが監視対象の人の位置において妨害される）、ローカル装置（１００）は通知の送信を取り扱う。これを行うために、１つの実施形態において、ローカル装置（１００）は、（９１８）にてカウント値を１に設定し、（９２０）にて全ての応答者にＳＭＳ通知を送信し、（９２２）にて予め定めた時間間隔（例えば３０、６０、及び１２０秒）で待機し、そして（９２４）にてＳＭＳが認識されたかどうかを確認する。少なくとも１つのＳＭＳが認識される場合、システムは（９１４）にてリセットされる。ＳＭＳが認識されない場合、警戒が（９２４）にてローカルに確認されたかどうかを判定するための確認が、行われる。警戒がローカルに確認される場合、確認は（９２８）にてサーバーに送信され、装置（１００）は（９１４）にてリセットされる。
【０１１４】
ＳＭＳが確認されず、警戒がローカルに確認されない場合、システムは「非応答」の警告を生成する。随意に、「非応答」の警告の前に、ローカル装置（１００）は、（９３０）にてＳＭＳカウント値に１を加え、ＳＭＳの送信にループして、上述のように次の工程を行う。このループが予め定めた回数で生じ、ＳＭＳカウント値が確認（９３２）において予め定めた値（例えば２、３、５）に等しくなる場合、ローカル装置（１００）は「非応答」信号を生成する。随意に、「非応答」信号は、図７に示されるように、少なくとも１人の応答者との連絡を試みるために、ローカル装置（１００）にコールセンターと連絡を取らせる。
【０１１５】
図１０は、本発明の幾つかの実施形態に係る、監視対象の人が助けを必要としていることを１人以上の介護者に知らせるためにコールセンターを使用する方法を図示するフローチャートである。
【０１１６】
随意に、図１０の方法は、「非応答」警告が生成される場合に、図９の方法に従う。コールセンターへの通知は、（１０００）においてサーバーを介して送信される。サーバーとの通信が（１００２）の確認において成功している場合、サーバーは、コールセンターに連絡を取り、少なくとも１つのＳＭＳが認識されたという確認を受信するためにコールセンターに連絡を取り続け、及び、緊急事態の１つが満たされるまで、緊急事態がローカルに確認されたという確認を受信するために装置（１００）に連絡を取り続ける（工程（１００４）−（１０１４））。これらの状態の１つが満たされる場合、サーバー（１２０）は（１０１６）にてリセットされる。
【０１１７】
常に、サーバーとコールセンターとの通信が（１００８）の確認にて中断される場合、ローカル装置（１００）は自身でコールセンターと連絡を取ることを試みる。最初に、ローカル装置（１００）は、（１０１８）にて応答者にＳＭＳ通知を送信するようコールセンターに命令し、（１０２０）にて予め定めた時間間隔にわたり待機して、ＳＭＳ通知が（１０２２）にて送信されたという通知をコールセンターから受信する。ＳＭＳ通知が送信されていない場合、例えば、予め定めた時間間隔は、コールセンターから認識を受信することなく満了し、プロセスはコールセンターに命令する工程（１０１８）にループする。ＳＭＳ通知が送信されている場合、装置（１００）は、コールセンターに連絡を取り、ＳＭＳ通知の何れかが（１０２４）にて介護者により確認されたかどうかを判定する。少なくとも１つのＳＭＳ通知が介護者により認識されている場合、装置（１００）はコールセンターからそれらの指標を受信し、装置（１００）は（１０１６）にてリセットされる。どの通知も認識されない場合、ローカル装置は、（１０２６）にて警戒がローカルに確認されたかどうかを確認する。この場合、サーバーは、（１０２８）にてローカルの確認を知らせ、監視システムがリセットされる。他の場合、プロセスは、任意のＳＭＳが認識されたかどうかの確認に戻りループする。
【０１１８】
１つの実施形態において、図１０のプロセスは、ＳＭＳ通知の少なくとも１つが応答者により確認されるか、又は警戒がローカル装置（１００）にてローカルに認識される（確認される）まで、停止しない。上述のように、コールセンターは、人員を配置されるか、自動的なものであってもよい。１つの限定されない例において、コールセンターは音声ＡＰＩシステムを使用する。音声ＡＰＩシステムは、応答者に要求を送り、テキスト−音声ソフトウェアを用いて、有効な警戒及びその重要度に関して応答者に警告するメッセージを読み取る。随意に、音声ＡＰＩシステムは、介護者に選択メニューを提供することにより、介護者と相互に作用する。選択の１つは、コールセンターのメッセージに応答するために、電話上の予め定めたボタンを押すことを含み得る。ＡＰＩシステムは、送信ＳＭＳメッセージの代わり、又は付加的な選択肢として使用され得、例えば、テキストメッセージが数回、応答なしに送信された後に「最終手段」の連絡方法の例として使用され得る。
【図１】
2018501594.tif 000003
【図２】
2018501594.tif 000004
【図３】
2018501594.tif 000005
【図４】
2018501594.tif 000006
【図５】
2018501594.tif 000007
【図６】
2018501594.tif 000008
【図７】
2018501594.tif 000009
【図８】
2018501594.tif 000010
【図９】
2018501594.tif 000011
【図１０】
2018501594.tif 000012
【図１１】
2018501594.tif 000013
【国際調査報告】
2018501594.tif 000014